(57)【特許請求の範囲】
【請求項１】
放送される複数のチャンネルからいずれかのチャンネルを受信する受信装置において、
各々の前記チャンネルに当該チャンネルのカテゴリを示す１または複数のカテゴリ情報が対応づけられ、１つのカテゴリ情報が上位カテゴリ情報とされ、他のカテゴリ情報が下位カテゴリ情報とされた場合に、
受信中の前記チャンネルの上位カテゴリ情報に含まれるカテゴリを記憶する記憶手段と、
前記記憶手段に記憶されたカテゴリを表示する表示手段と、
前記チャンネルの受信中に検索実行の指示を受け付ける指示手段と、
前記指示手段によって検索実行が指示された場合に、前記記憶手段に記憶されたカテゴリを前記上位カテゴリ情報または前記下位カテゴリ情報として含む前記チャンネルを検索する検索手段と、
前記検索手段によって検索された前記チャンネルを選局して受信する選局手段と、
前記指示手段によって検索実行が指示された場合に検索条件としてのカテゴリを入力可能な状態に移行し、この状態でカテゴリが入力された場合には、入力されたカテゴリを新たな検索条件として前記記憶手段に記憶させて、前記検索手段により検索を行わせるとともに、この記憶させたカテゴリを前記表示手段により表示させる一方、
検索条件としてのカテゴリを入力可能な状態に移行した後は、カテゴリが入力されるまでは、前記検索手段による検索が実行された場合であっても、前記記憶手段に記憶されたカテゴリを変更せず記憶させる制御手段と、
を備えることを特徴とする受信装置。
【請求項２】
前記制御手段は、前記指示手段によって検索実行が指示された場合に、検索条件として選択入力可能なカテゴリを一覧表示させ、これら一覧表示されたカテゴリのうち前記記憶手段に記憶されているカテゴリを選択状態にして表示させ、
一覧表示されたカテゴリのうち別のカテゴリが選択された場合に、選択されたカテゴリを新たな検索条件として前記記憶手段に記憶させること、
を特徴とする請求項１記載の受信装置。
【請求項３】
前記制御手段は、一覧表示されたカテゴリから選択されたカテゴリを前記記憶手段に記憶させた後は、一覧表示されたカテゴリから別のカテゴリが選択されるか、或いは、検索終了を指示する操作が行われるまで、前記記憶手段に記憶されたカテゴリを変更せず記憶させること、
を特徴とする請求項２記載の受信装置。
【請求項４】
前記受信装置は、車輌に搭載され、前記車輌の走行中において前記放送を受信する車載受信装置であること、
を特徴とする請求項１から３のいずれかに記載の受信装置。
【請求項５】
放送される複数のチャンネルからいずれかのチャンネルを受信する受信装置の制御方法において、
各々の前記チャンネルに当該チャンネルのカテゴリを示す１または複数のカテゴリ情報が対応づけられ、１つのカテゴリ情報が上位カテゴリ情報とされ、他のカテゴリ情報が下位カテゴリ情報とされた場合に、
受信中の前記チャンネルの上位カテゴリ情報に含まれるカテゴリを記憶する記憶ステップと、
前記記憶ステップで記憶されたカテゴリを表示する表示ステップと、
前記チャンネルの受信中に検索実行の指示を受け付ける指示ステップと、
前記指示ステップで検索実行が指示された場合に検索条件としてのカテゴリを入力可能な状態に移行し、この状態でカテゴリが入力された場合には、入力されたカテゴリを新たな検索条件として記憶するとともに、この記憶したカテゴリを前記表示ステップで表示したカテゴリに代えて表示させる一方、検索条件としてのカテゴリを入力可能な状態に移行した後は、カテゴリが入力されるまでは、前記検索手段による検索が実行された場合であっても、前記記憶手段に記憶されたカテゴリを変更せず記憶させる制御ステップと、
前記記憶ステップで記憶されたカテゴリを前記上位カテゴリ情報または前記下位カテゴリ情報として含む前記チャンネルを検索する検索ステップと、
前記検索ステップで検索された前記チャンネルを選局して受信する選局ステップと、
を含むことを特徴とする受信装置の制御方法。
【発明の詳細な説明】
【技術分野】
【０００１】
本発明は、複数のチャンネルを含む放送を受信する受信装置および受信装置の制御方法に関する。
【背景技術】
【０００２】
従来、衛星デジタルラジオを受信する受信装置に関する技術が開示されている（例えば、特許文献１参照）。
衛星デジタルラジオ放送では１５０チャンネル以上の番組を提供するサービスが行われており、このように多数のチャンネルの中からユーザ（聴取者）が所望のチャンネルを選局しやすいように、受信装置は検索機能を備えている。【０００３】
この検索機能の一つに、カテゴリ検索機能がある。このカテゴリ検索機能は、予め各チャンネルに付与されたカテゴリの情報に基づいてチャンネルを検索する機能である。
衛星デジタルラジオ放送の中には、各チャンネルに複数のカテゴリ情報が付与されている放送があり、この場合、一つのカテゴリ情報が上位カテゴリ情報とされ、残りは下位カテゴリ情報とされる。上位カテゴリ情報は、そのチャンネルの特性に最も関連するカテゴリであり、そのチャンネルの受信中に表示画面に表示される。ここで、受信中にカテゴリ検索機能による検索を実行すると、典型的な受信装置においては、表示画面に表示中のカテゴリ情報、すなわち受信中のチャンネルの上位カテゴリ情報を検索条件とし、この検索条件のカテゴリを上位カテゴリ情報または下位カテゴリ情報として含むチャンネルを検索する。つまり、カテゴリ検索の開始を指示すると、表示中のカテゴリ情報が自動的に検索条件として設定され、検索が行われる。これは、検索条件を指定する入力がなされなくても検索を行えるようにするためであり、受信中のチャンネルと同じカテゴリのチャンネルを少ない操作回数で検索できるという利点がある。また、上位カテゴリ情報を表示する構成、および、表示中のカテゴリ情報を検索条件とする構成は、一つのカテゴリ情報しか付与されておらず、下位カテゴリ情報を持たないチャンネルがあった場合であっても、カテゴリ情報の表示や検索を確実に実行できるという利点がある。
【先行技術文献】
【特許文献】
【０００４】
【特許文献１】特開２００２−３５４２８５号公報
【発明の概要】
【発明が解決しようとする課題】
【０００５】
しかしながら、上述したカテゴリ検索機能を繰り返し行う場合、ユーザが指示しないのに検索条件が変更されることがあった。カテゴリ検索機能により検索された別のチャンネルが受信されると、このチャンネルの上位カテゴリ情報が表示画面に表示され、再びカテゴリ検索機能を実行すると、表示中のカテゴリ情報が検索条件となる。ここで、検索条件のカテゴリを下位カテゴリ情報として含むチャンネルが検索された場合は、このチャンネルの上位カテゴリ情報が表示されて、次回のカテゴリ検索機能時の検索条件となってしまう。この場合、上位カテゴリ情報は下位カテゴリ情報と一致しないから、カテゴリ検索機能の検索条件は、このチャンネルの下位カテゴリ情報から上位カテゴリ情報に入れ替わる。従って、カテゴリ検索機能を繰り返し行ううちに検索条件が変更され、ユーザの望み通りの検索を行えないことがあるという問題があった。
そこで本発明は、カテゴリ情報に基づくチャンネルの検索を繰り返し実行する場合に、ユーザが望む検索条件を維持することが可能な受信装置、および、受信装置の制御方法を提供することを目的とする。また、本発明は、少ない操作回数による検索を可能とし、かつ、一つのカテゴリ情報しか持たないチャンネルにも対応可能な受信装置、および、受信装置の制御方法を提供することを目的とする。
【課題を解決するための手段】
【０００６】
上記課題を解決するため、本発明の受信装置は、放送される複数のチャンネルからいずれかのチャンネルを受信する受信装置において、各々の前記チャンネルに当該チャンネルのカテゴリを示す１または複数のカテゴリ情報が対応づけられ、１つのカテゴリ情報が上位カテゴリ情報とされ、他のカテゴリ情報が下位カテゴリ情報とされた場合に、受信中の前記チャンネルの上位カテゴリ情報に含まれるカテゴリを記憶する記憶手段と、前記記憶手段に記憶されたカテゴリを表示する表示手段と、前記チャンネルの受信中に検索実行の指示を受け付ける指示手段と、前記指示手段によって検索実行が指示された場合に、前記記憶手段に記憶されたカテゴリを前記上位カテゴリ情報または前記下位カテゴリ情報として含む前記チャンネルを検索する検索手段と、前記検索手段によって検索された前記チャンネルを選局して受信する選局手段と、前記指示手段によって検索実行が指示された場合に検索条件としてのカテゴリを入力可能な状態に移行し、この状態でカテゴリが入力された場合には、入力されたカテゴリを新たな検索条件として前記記憶手段に記憶させて、前記検索手段により検索を行わせるとともに、この記憶させたカテゴリを前記表示手段により表示させる一方、検索条件としてのカテゴリを入力可能な状態に移行した後は、カテゴリが入力されるまでは、前記検索手段による検索が実行された場合であっても、前記記憶手段に記憶されたカテゴリを変更せず記憶させる制御手段と、を備えることを特徴とする。
このような構成によれば、検索実行が指示された場合には、記憶手段に記憶されたカテゴリを表示手段が表示し、記憶されたカテゴリを上位カテゴリ情報または下位カテゴリ情報として含むチャンネルを検索手段が検索し、検索されたチャンネルを選局手段が選局して受信し、カテゴリが入力された場合には、入力されたカテゴリを新たな検索条件として記憶手段に記憶させて、検索手段により検索を行わせるとともに、この記憶させたカテゴリを表示手段により表示させることができるので、表示手段は記憶手段に記憶されたカテゴリを表示するともに、検索手段は記憶手段に記憶されたカテゴリを検索対象とする。
このため、カテゴリ情報に基づくチャンネルの検索を繰り返し実行する場合に、ユーザが望む検索条件を維持することが可能となる。また、少ない操作回数による検索を可能とし、かつ、一つのカテゴリ情報しか持たないチャンネルにも対応可能となる。
【０００７】
また、他の発明は、前記制御手段は、前記指示手段によって検索実行が指示された場合に、検索条件として選択入力可能なカテゴリを一覧表示させ、これら一覧表示されたカテゴリのうち前記記憶手段に記憶されているカテゴリを選択状態にして表示させ、一覧表示されたカテゴリのうち別のカテゴリが選択された場合に、選択されたカテゴリを新たな検索条件として前記記憶手段に記憶させること、を特徴とする。
このような構成によれば、制御手段は、検索実行が指示された場合に、検索条件として選択入力可能なカテゴリを一覧表示させ、一覧表示されたカテゴリのうち記憶手段に記憶されているカテゴリを選択状態にして表示させ、一覧表示されたカテゴリのうち別のカテゴリが選択された場合に、選択されたカテゴリを新たな検索条件として記憶手段に記憶させるため、検索条件のカテゴリが選択状態にして表示される。
このため、一覧表示されたカテゴリのうち、選択状態にして表示されているカテゴリを参考にすることにより、検索対象とされているカテゴリを知ることができる。【０００８】
また、他の発明は、前記制御手段は、一覧表示されたカテゴリから選択されたカテゴリを前記記憶手段に記憶させた後は、一覧表示されたカテゴリから別のカテゴリが選択されるか、或いは、検索終了を指示する操作が行われるまで、前記記憶手段に記憶されたカテゴリを変更せず記憶させることを特徴とする。
このような構成によれば、制御手段は、一覧表示されたカテゴリから選択されたカテゴリを記憶手段に記憶させた後は、一覧表示されたカテゴリから別のカテゴリが選択されるか、検索終了を指示する操作が行われるまで、記憶手段に記憶されたカテゴリを変更せず記憶させるため、前述した操作がなされない限り、記憶手段に記憶されたカテゴリが維持される。
このため、一覧表示されたカテゴリから別のカテゴリが選択されるか、または、検索終了が指示されるまで、同一のカテゴリによる検索が一貫して実行されるため、カテゴリ検索機能を繰り返し行ううちに検索条件が変更されることを防止できる。【０００９】
また、他の発明は、前記受信装置は、車輌に搭載され、前記車輌の走行中において前記放送を受信する車載受信装置であることを特徴とする。
このような構成によれば、受信装置は、車輌に搭載され、車輌の走行中において放送を受信することができる。
このため、車輌を運転中であっても、少ない操作回数による検索を実行することか可能となる。【００１０】
また、本発明は、放送される複数のチャンネルからいずれかのチャンネルを受信する受信装置の制御方法において、各々の前記チャンネルに当該チャンネルのカテゴリを示す１または複数のカテゴリ情報が対応づけられ、１つのカテゴリ情報が上位カテゴリ情報とされ、他のカテゴリ情報が下位カテゴリ情報とされた場合に、受信中の前記チャンネルの上位カテゴリ情報に含まれるカテゴリを記憶する記憶ステップと、前記記憶ステップで記憶されたカテゴリを表示する表示ステップと、前記チャンネルの受信中に検索実行の指示を受け付ける指示ステップと、前記指示ステップで検索実行が指示された場合に検索条件としてのカテゴリを入力可能な状態に移行し、この状態でカテゴリが入力された場合には、入力されたカテゴリを新たな検索条件として記憶するとともに、この記憶したカテゴリを前記表示ステップで表示したカテゴリに代えて表示させる一方、検索条件としてのカテゴリを入力可能な状態に移行した後は、カテゴリが入力されるまでは、前記検索手段による検索が実行された場合であっても、前記記憶手段に記憶されたカテゴリを変更せず記憶させる制御ステップと、前記記憶ステップで記憶されたカテゴリを前記上位カテゴリ情報または前記下位カテゴリ情報として含む前記チャンネルを検索する検索ステップと、前記検索ステップで検索された前記チャンネルを選局して受信する選局ステップと、を含むことを特徴とする。
このような方法によれば、検索実行が指示された場合には、記憶ステップで記憶されたカテゴリを表示ステップで表示し、記憶されたカテゴリを上位カテゴリ情報または下位カテゴリ情報として含むチャンネルを検索ステップで検索し、検索されたチャンネルを選局ステップが選局して受信し、カテゴリが入力された場合には、入力されたカテゴリを新たな検索条件として記憶ステップで記憶させて、検索ステップで検索を行わせるとともに、この記憶させたカテゴリを表示ステップで表示させることができるので、表示ステップでは記憶ステップに記憶されたカテゴリを表示するともに、検索ステップでは記憶ステップに記憶されたカテゴリを検索対象とする。
このため、カテゴリ情報に基づくチャンネルの検索を繰り返し実行する場合に、ユーザが望む検索条件を維持することが可能となる。また、少ない操作回数による検索を可能とし、かつ、一つのカテゴリ情報しか持たないチャンネルにも対応可能となる。
【発明の効果】
【００１１】
本発明によれば、カテゴリ情報に基づくチャンネルの検索を繰り返し実行する場合に、ユーザが望む検索条件を維持することが可能な受信装置および受信装置の制御方法を提供することができる。また、少ない操作回数による検索を可能とし、かつ、一つのカテゴリ情報しか持たないチャンネルにも対応可能な受信装置および受信装置の制御方法を提供することができる。
【図面の簡単な説明】
【００１２】
【図１】実施形態の構成例を示すブロック図である。
【図２】ＲＡＭに格納されているテーブルの一例である。
【図３】実施形態において実行される処理の一例を示す図である。
【図４】チャンネル切換モード画面の表示例である。
【図５】図３のステップＳ１５の処理の詳細を説明する図である。
【図６】カテゴリ検索モード画面の表示例である。
【図７】図６においてボタン５５が操作された場合に表示される画面の表示例である。
【図８】図６においてボタン５６が操作された場合に表示される画面の表示例である。
【図９】図５のステップＳ４０の処理の詳細を説明する図である。
【図１０】図８においてボタン５３ｂが操作された場合に表示される画面の表示例である。
【図１１】図１０においてボタン５６が操作された場合に表示される画面の表示例である。
【発明を実施するための形態】
【００１３】
（Ａ）第１実施形態の構成
以下、図面を参照して本発明の実施形態について説明する。
図１は本発明の実施形態の車載型の受信装置１０の構成例を示す図である。図１に示すように、受信装置１０は、アンテナ１１、サテライトチューナ１２、ＤＳＰ（Digital Signal Processor）１３、ＤＶＤ（Digital Versatile Disk）駆動装置１４、メインマイコン１５、サブマイコン１６、ＬＣＤ（Liquid Crystal Display）１７、タッチパネル１８、増幅回路１９、および、スピーカ２０を主要な構成要素としている。なお、図１において、実線は音声信号を示し、破線は制御信号を示している。
【００１４】
アンテナ１１は、図示せぬ放送衛星から送信されるサテライトラジオ放送の電波を捕捉し、サテライトチューナ１２に供給する。ここで、サテライトラジオ放送は、例えば、２５０程度のチャンネルを有し、それぞれのチャンネルは、デジタル化された音声信号を伝送する。また、後述するように、それぞれのチャンネルには、プライマリカテゴリおよびセカンダリカテゴリの２種類のカテゴリを有し、これらのカテゴリに付与された項目によって放送の内容が示される。また、これらのカテゴリに基づいて検索を行うことにより、所望のチャンネルを見つけることができる。
【００１５】
サテライトチューナ１２は、アンテナ１１によって捕捉されたサテライトラジオ放送の電波から、メインマイコン１５によって指定される所定のチャンネルの放送を選択して受信し、ＤＳＰ１３に出力する。ＤＳＰ１３は、メインマイコン１５の制御に基づいて、サテライトチューナ１２からの出力およびＤＶＤ駆動装置１４の出力のいずれか一方を選択する。また、ＤＳＰ１３は、サテライトチューナ１２およびＤＶＤ駆動装置１４から供給される信号に対して復号処理を施し、音声データを生成する。さらに、ＤＳＰ１３は、生成された音声データに対して、フィルタリング処理、音量の調整処理を施した後、アナログ信号としての音声信号に変換し、増幅回路１９に出力する。
【００１６】
ＤＶＤ駆動装置１４は、光記録媒体としてのＤＶＤに書き込まれている情報を読み出し、ＤＳＰ１３に出力する。メインマイコン１５は、ＲＯＭ（Read Only Memory）１５ａ、ＲＡＭ（Random Access Memory）１５ｂを有しており、ＲＡＭ１５ｂをワークエリアとしてＲＯＭ１５ａに記憶されているプログラムを実行することにより、装置の各部を制御する。なお、ＲＡＭ１５ｂには、後述する図２のテーブル、同じく後述する第１選択カテゴリおよび第２選択カテゴリ等の情報が格納される。
【００１７】
サブマイコン１６は、メインマイコン１５から供給された描画命令に基づいて描画処理を実行し、得られた画像をＬＣＤ１７に供給して表示させる。また、サブマイコン１６は、タッチパネル１８の操作に応じた情報を生成してメインマイコン１５に出力する。ＬＣＤ１７は、サブマイコン１６から供給された映像を表示する。タッチパネル１８は、ＬＣＤ１７に重畳するように配置されており、ＬＣＤ１７に表示された情報を参照して、ユーザによる操作がなされた場合には、対応する情報を生成して出力する。
【００１８】
増幅回路１９は、ＤＳＰ１３から供給される音声信号を所定のゲインで増幅して電力を増幅した後に、スピーカ２０に供給する。スピーカ２０は、増幅回路１９から供給される音声信号を電気−音響変換して放音する。
【００１９】
ところで、サテライトチューナ１２によって受信されるサテライトラジオ放送には、前述したように、例えば、２５０程度のチャンネルの放送が含まれており、サテライトチューナ１２は、メインマイコン１５によって指定された所定のチャンネルの放送を選択して受信する。メインマイコン１５のＲＡＭ１５ｂには、例えば、図２に示すようなテーブルを格納しており、このようなテーブルに基づいて、受信するチャンネルを選択する。より詳細には、図２の例では、「チャンネル番号」、「チャンネル名」、「プライマリカテゴリ（上位カテゴリ）」、および、「セカンダリカテゴリ（下位カテゴリ）」が対応付けられて格納されている。ここで、「チャンネル番号」は、各放送に割り当てられたチャンネルの番号を示しており、１行目の例ではチャンネル番号として「４」が格納されている。「チャンネル名」は、各チャンネルに付与された名称を示しており、１行目の例ではチャンネル名として「Ｔｈｅ  ‘４０ｓ」が格納されている。「プライマリカテゴリ」は、各チャンネルの特性を最も顕著に表す情報であり、１行目の例ではプライマリカテゴリとして「Ｄｅｃａｄｅｓ」が格納されている。「セカンダリカテゴリ」は、プライマリカテゴリ以外の関係する特性を表す情報であり、１行目の例ではセカンダリカテゴリとして「Ｈｉｔｓ」、「Ｐｏｐ」、および、「Ｊａｚｚ」の３つが格納されている。なお、テーブルに格納されている情報は、放送電波に重畳されて送信されて来るので、メインマイコン１５は、このような情報をサテライトチューナ１２から取得してテーブルとしてＲＡＭ１５ｂに格納する。
【００２０】
（Ｂ）実施形態の動作
つぎに、実施形態の動作について説明する。図３は、図１に示す受信装置１０において、サテライトチューナ１２が再生対象として選択された場合に実行される処理の一例を説明するためのフローチャートである。なお、ＤＶＤ駆動装置１４が再生対象として選択された場合の処理については省略する。図３のフローチャートの処理が開始されると、以下のステップが実行される。すなわち、ステップＳ１０では、メインマイコン１５は、ＬＣＤ１７に対して、図４に示すチャンネル切換モード画面を表示する。図４の表示例では、チャンネル切換モード画面４０には、表示領域４１〜４３およびボタン４４〜４６が表示される。表示領域４１には、画面モード４１ａ、受信バンド４１ｂ、受信チャンネル番号４１ｃ、受信チャンネル名４１ｄ、および、カテゴリ４１ｅが表示される。ここで、画面モード４１ａは、画面のモードを示し、チャンネル切換モードを示す「ＣＨＡＮ」およびカテゴリ検索モードを示す「ＣＡＴ」の何れか一方が表示される。この例では、「ＭＯＤＥ：ＣＨＡＮ」が表示されており、チャンネル切換モードであることが示されている。受信バンド４１ｂは、受信対象となるバンドを示し、例えば、複数の種類の放送電波（例えば、異なる放送提供者からの放送電波）を受信可能である場合には、いずれの放送電波を受信しているかが示される。この例では、「ＢＡＮＤ：ＸＸ１」が表示されており、受信バンドが「ＸＸ１」であることが示されている。受信チャンネル番号４１ｃは、受信対象となるチャンネル番号を示す。この例では、「ＣＨＡＮＮＥＬ：２０」が表示されており、受信チャンネル番号が「２０」（図２の３行目の情報）であることが示されている。受信チャンネル名４１ｄは、受信対象となるチャンネルの名前を示す。この例では、「ＮＡＭＥ：Ｔｏｐ  ２０  Ｈｉｔｓ」が表示されており、受信チャンネルの名前が「Ｔｏｐ  ２０  Ｈｉｔｓ」であることが示されている。カテゴリ４１ｅは、受信中のチャンネルのプライマリカテゴリを示す。この例では、「ＣＡＴＥＧＯＲＹ：Ｈｉｔｓ」が表示されており、受信チャンネルのプライマリカテゴリが「Ｈｉｔｓ」であることが示されている。
【００２１】
表示領域４２には、曲名４２ａが表示される。曲名４２ａは、現在受信中のチャンネルにおいて放送中の楽曲の曲名である。この例では、「ＳＯＮＧ：Ｉ  Ｇｏｔ  Ｂａｃｋ  Ｉｎ  Ｔｈｅ  Ｓａｄｄｌｅ」が表示されており、放送中の楽曲の曲名が「Ｉ  Ｇｏｔ  Ｂａｃｋ  Ｉｎ  Ｔｈｅ  Ｓａｄｄｌｅ」であることが示されている。
【００２２】
表示領域４３には、アーティスト名４３ａが表示される。アーティスト名４３ａは、現在受信中のチャンネルにおいて放送中の楽曲のアーティスト名である。この例では、「ＡＲＴＩＳＴ：Ｔｈｅ  Ｓｚｙｍａｎｏｗｓｋｉ」が表示されており、放送中の楽曲のアーティスト名が「Ｔｈｅ  Ｓｚｙｍａｎｏｗｓｋｉ」であることが示されている。
【００２３】
ボタン４４は、表示モードを、チャンネル切換モード画面から、カテゴリ検索モードに切り換える場合に操作されるソフトウエアボタンである。ボタン４５は受信チャンネルのチャンネル番号を小さくする（ダウンする）場合に操作され、また、ボタン４６は受信チャンネルのチャンネル番号を大きくする（アップする）場合に操作される。より具体的には、図３の表示例では、チャンネル番号が「２０」の放送を受信中であるので、この状態でボタン４５が１回操作されると、図２のテーブルにおいてチャンネル番号が１つ小さいチャンネル番号が「８」の放送が受信される。また、同様に、図４の状態でボタン４６が１回操作されると、チャンネル番号が「４１」の放送が受信される。
【００２４】
ステップＳ１１では、メインマイコン１５は、サブマイコン１６からの出力を参照して、ボタン４５，４６の何れかが操作されたか否かを判定し、これらの何れかが操作されたと判定した場合（ステップＳ１１；Ｙｅｓ）にはステップＳ１２に進み、それ以外の場合（ステップＳ１１；Ｎｏ）にはステップＳ１４に進む。例えば、ボタン４５，４６の何れかがユーザによって操作された場合には、Ｙｅｓと判定されてステップＳ１２に進む。
【００２５】
ステップＳ１２では、メインマイコン１５は、チューニング処理を実行する。より詳細には、メインマイコン１５は、ボタン４５，４６のいずれかが操作されたかを特定するとともに、ＲＡＭ１５ｂに格納されているテーブル（図２参照）を参照し、操作されたボタンに対応するつぎの受信チャンネルを特定する。例えば、図４の例では、チャンネル番号が「２０」の放送を受信中であるので、ボタン４５が操作された場合には、チャンネル番号が「８」の放送がつぎの受信チャンネルとして特定され、ボタン４６が操作された場合には、チャンネル番号が「４１」の放送がつぎの受信チャンネルとして特定される。そして、つぎに受信するチャンネルが特定されると、メインマイコン１５は、サテライトチューナ１２を制御して、特定されたチャンネルの放送を受信させる。例えば、図４において、ボタン４５が操作された場合には、チャンネル番号が「８」の放送が受信され、ボタン４６が操作された場合には、チャンネル番号が「４１」の放送が受信される。
【００２６】
ステップＳ１３では、メインマイコン１５は、ステップＳ１２において受信対象として選択されたチャンネルに関する情報をＲＡＭ１５ｂのテーブルから取得し、ＬＣＤ１７に表示させる。例えば、ボタン４５が操作された場合には、受信チャンネル番号４１ｃとして「ＣＨＡＮＮＥＬ：８」が表示され、受信チャンネル名４１ｄとして「ＮＡＭＥ：Ｔｈｅ‘８０ｓ」が表示され、カテゴリ４１ｅとしてプライマリカテゴリである「ＣＡＴＥＧＯＲＹ：Ｄｅｃａｄｅｓ」が表示される。なお、曲名４２ａおよびアーティスト名４３ａとしては、現在放送中の楽曲に対応する情報がそれぞれ表示される。
【００２７】
ステップＳ１４では、ボタン４４が操作されたか否かを判定し、操作されたと判定した場合（ステップＳ１４；Ｙｅｓ）には、ステップＳ１５に進み、それ以外の場合（ステップＳ１４；Ｎｏ）には、ステップＳ１６に進む。例えば、ボタン４４が操作された場合には、ステップＳ１５に進む。
【００２８】
ステップＳ１５では、メインマイコン１５は、カテゴリ検索モード処理を実行する。なお、この処理の詳細は、図５を参照して後述するが、カテゴリ検索モード処理では、指定されたカテゴリをプライマリカテゴリまたはセカンダリカテゴリに含む放送が順次選択されて受信される。
【００２９】
ステップＳ１６では、メインマイコン１５は、処理を終了するか否かを判定し、処理を終了しない場合（ステップＳ１６；Ｎｏ）には、ステップＳ１０に戻って前述の場合と同様の処理を施し、それ以外の場合（ステップＳ１６；Ｙｅｓ）には処理を終了する。例えば、受信装置１０の電源が切られた場合には、Ｙｅｓと判定して、処理を終了する。
【００３０】
図５は、図３のステップＳ１５に示す「カテゴリ検索モード処理」の詳細を説明するフローチャートの一例である。このフローチャートの処理が開始されると、以下のステップが実行される。すなわち、ステップＳ３０では、メインマイコン１５は、カテゴリ検索モード画面をＬＣＤ１７に表示させる。図６は、カテゴリ検索モード画面の表示例を示す図である。この表示例では、カテゴリ検索モード画面５０には、表示領域５１、ボタン５２ａ，５２ｂ、ボタン５３ａ〜５３ｄ、および、ボタン５４〜５６が表示されている。
【００３１】
表示領域５１には、画面モード５１ａ、受信バンド５１ｂ、受信チャンネル番号５１ｃ、受信チャンネル名５１ｄ、および、カテゴリ５１ｅが表示されている。ここで、画面モード５１ａは、画面のモードを示し、チャンネル切換モードを示す「ＣＨＡＮ」およびカテゴリ検索モードを示す「ＣＡＴ」の何れか一方が表示される。この例では、「ＭＯＤＥ：ＣＡＴ」が表示されており、カテゴリ検索モードであることが示されている。受信バンド５１ｂは、図４の場合と同様に受信対象となるバンドを示す。この例では、「ＢＡＮＤ：ＸＸ１」が表示されており、受信バンドが「ＸＸ１」であることが示されている。受信チャンネル番号５１ｃは、受信対象となるチャンネル番号を示す。この例では、図４の画面から移行してきているので、図４と同様の「ＣＨＡＮＮＥＬ：２０」が表示されており、受信チャンネル番号が「２０」（図２の３行目の情報）であることが示されている。受信チャンネル名５１ｄは、受信対象となるチャンネルの名前を示す。この例では、「ＮＡＭＥ：Ｔｏｐ  ２０  Ｈｉｔｓ」が表示されており、受信チャンネルの名前が「Ｔｏｐ  ２０  Ｈｉｔｓ」であることが示されている。カテゴリ５１ｅは、後述するように、第１選択カテゴリを示す。この例では、「ＣＡＴＥＧＯＲＹ：Ｈｉｔｓ」が表示されており、第１選択カテゴリが「Ｈｉｔｓ」であることが示されている。なお、第１選択カテゴリについては、ステップＳ３１以降の処理において説明する。
【００３２】
ボタン５２ａ，５２ｂは、カテゴリリストとしてのボタン５３ａ〜５３ｄの表示範囲を変更（スクロール）する場合に操作されるボタンである。ボタン５３ａ〜５３ｄは、検索対象となるカテゴリを選択する際に操作されるボタンである。より詳細には、ボタン５３ａ〜５３ｄとしては、図２のプライマリカテゴリおよびセカンダリカテゴリに含まれているカテゴリの項目が表示される。この例では、「Ｈｉｔｓ」、「Ｐｏｐ」、「Ｒｏｃｋ」、および、「Ｈｉｐ−Ｈｏｐ」に対応するボタンが表示されている。ボタン５２ａ，５２ｂが操作されると、これら以外のカテゴリの項目（例えば、「Ｄｅｃａｄｅｓ」、「Ｄａｎｃｅ」、および、「Ｊａｚｚ」）に対応するボタン（不図示）が新たに表示される。なお、ボタン５３ａ〜５３ｄは、後述するステップＳ３４の処理においてＬＣＤ１７に表示される。
【００３３】
ボタン５４は、図４に示すチャンネル切換モード画面に戻る場合に操作される。ボタン５５，５６は、選択されているカテゴリ（第１選択カテゴリまたは第２選択カテゴリ）をプライマリカテゴリまたはセカンダリカテゴリに含むチャンネルを検索（サーチ）する際に操作される。すなわち、ボタン５５は選択されているカテゴリをプライマリカテゴリまたはセカンダリカテゴリに含むチャンネルであって、現在受信中のチャンネルよりもチャンネル番号が小さいチャンネルの放送を受信する場合に操作され、また、ボタン５６は選択されているカテゴリをプライマリカテゴリまたはセカンダリカテゴリに含むチャンネルであって、現在受信中のチャンネルよりもチャンネル番号が大きいチャンネルの放送を受信する場合に操作されるボタンである。より具体的には、図６の表示例では、カテゴリ５１ｅに表示されている「Ｈｉｔｓ」が選択されているカテゴリであり、また、チャンネル番号が「２０」の放送を現在受信中であるので、この状態でボタン５５が１回操作されると、「Ｈｉｔｓ」をセカンダリカテゴリに含み、チャンネル番号が「８」の放送が検索されて受信される。また、同様に、図６の状態でボタン５６が１回操作されると、「Ｈｉｔｓ」をセカンダリカテゴリに含み、チャンネル番号が「４１」の放送が検索されて受信される。
【００３４】
ステップＳ３１では、メインマイコン１５は、受信中のチャンネルのプライマリカテゴリを第１選択カテゴリに設定する。より詳細には、例えば、図４の画面において、ボタン４４が操作された場合、チャンネル番号が「２０」の放送を受信中であるので、ステップＳ３０では、チャンネル番号が「２０」の放送のプライマリカテゴリである「Ｈｉｔｓ」が、第１選択カテゴリに設定される。
【００３５】
ステップＳ３２では、メインマイコン１５は、第１選択カテゴリをＲＡＭ１５ｂに記憶する。図４の例では、チャンネル番号が「２０」の放送のプライマリカテゴリである「Ｈｉｔｓ」が第１選択カテゴリとしてＲＡＭ１５ｂに記憶される。
【００３６】
ステップＳ３３では、メインマイコン１５は、ＲＡＭ１５ｂに記憶されている第１選択カテゴリをカテゴリ５１ｅとしてＬＣＤ１７に表示させる。いまの例では、「Ｈｉｔｓ」が第１選択カテゴリであるので、図６に示すように「Ｈｉｔｓ」がカテゴリ５１ｅとしてＬＣＤ１７に表示される。
【００３７】
ステップＳ３４では、メインマイコン１５は、カテゴリリストとしてのボタン５３ａ〜５３ｄをＬＣＤ１７に表示させる。なお、表示する際には、第１選択カテゴリに対応するボタンが最上部に位置するようにソートを行うようにしてもよい。図６の例では、第１選択カテゴリである「Ｈｉｔｓ」に対応するボタン５３ａが最上部に表示されている。
【００３８】
ステップＳ３５では、メインマイコン１５は、第１選択カテゴリに対応するボタンをハイライト表示させる。具体的には、いまの例では、「Ｈｉｔｓ」が第１選択カテゴリであるので、図６に示すように「Ｈｉｔｓ」に対応するボタン５３ａがＬＣＤ１７上においてハイライト表示される。なお、ハイライト表示ではなく、点滅表示その他の表示方法を採用するようにしてもよい。
【００３９】
ステップＳ３６では、メインマイコン１５は、サブマイコン１６からの出力を参照し、ボタン５５，５６が操作されたか否かを判定する。そして、ボタン５５，５６の何れかが操作されたと判定した場合（ステップＳ３６；Ｙｅｓ）にはステップＳ３７に進み、それ以外の場合（ステップＳ３６；Ｎｏ）にはステップＳ３９に進む。
【００４０】
ステップＳ３７では、メインマイコン１５は、ステップＳ３３の場合と同様に、ＲＡＭ１５ｂに記憶されている第１選択カテゴリをカテゴリ５１ｅとしてＬＣＤ１７に表示させる。いまの例では、チャンネル番号が「２０」の放送のプライマリカテゴリである「Ｈｉｔｓ」が第１選択カテゴリとしてＲＡＭ１５ｂに記憶されているので、図６に示すように「Ｈｉｔｓ」がカテゴリ５１ｅとしてＬＣＤ１７に表示される。なお、ステップＳ３７の処理は、ステップＳ３６〜Ｓ３９の処理が繰り返されている間は繰り返し実行される。このため、ボタン５５，５６が操作されてカテゴリ検索が実行された場合であっても、カテゴリリストとしてのボタン５３ａ〜５３ｄが操作されない限り、ＬＣＤ１７には同一の第１選択カテゴリがカテゴリ５１ｅとして継続して表示される。これにより、検索条件のカテゴリをセカンダリカテゴリとして含むチャンネルが検索（表示）された場合でも、従来のように、当該チャンネルのプライマリカテゴリが表示され、次回のカテゴリ検索時の検索条件となってしまうことを防止できる。
【００４１】
ステップＳ３８では、メインマイコン１５は、第１選択カテゴリに基づいて、チャンネル検索処理を実行する。すなわち、メインマイコン１５は、ボタン５５が操作された場合には、第１選択カテゴリをプライマリカテゴリまたはセカンダリカテゴリに含むチャンネルであって、現在受信中のチャンネルよりもチャンネル番号が小さいチャンネルをＲＡＭ１５ｂのテーブルから検索し、見つかったチャンネルのチャンネル番号をサテライトチューナ１２に供給して受信させるとともに、当該チャンネルに関する情報をＬＣＤ１７に表示させる。いまの例では、「Ｈｉｔｓ」が第１選択カテゴリであるので、ボタン５５が操作された場合には、「Ｈｉｔｓ」をセカンダリカテゴリに有し、チャンネル番号が「８」の放送が選択されて受信される。図７は、このとき表示される画面の一例を示す図である。この例では、図６の場合と比較して、受信チャンネル番号５１ｃが「８」に変更されている。また、受信チャンネル名５１ｄが「Ｔｈｅ  ‘８０ｓ」に変更されている。カテゴリ５１ｅは、第１選択カテゴリとしての「Ｈｉｔｓ」が継続して表示されている。なお、図７に示す表示画面において、ボタン５５が再度操作された場合には、「Ｈｉｔｓ」をセカンダリカテゴリに有し、チャンネル番号が「４」の放送が選択されて受信される。
【００４２】
一方、図６において、ボタン５６が操作された場合には、「Ｈｉｔｓ」をセカンダリカテゴリに有し、チャンネル番号が「４１」の放送が選択されて受信される。図８は、このとき表示される画面の一例を示す図である。この例では、図６の場合と比較して、受信チャンネル番号５１ｃが「４１」に変更されている。また、受信チャンネル名５１ｄが「‘８０ｓ  Ｈａｒｄ  Ｒｏｃｋ」に変更されている。カテゴリ５１ｅは、第１選択カテゴリとしての「Ｈｉｔｓ」が継続して表示されている。なお、図８に示す表示画面において、ボタン５６が再度操作された場合には、「Ｈｉｔｓ」をセカンダリカテゴリに有し、チャンネル番号が「６０」の放送が選択されて受信される。なお、チャンネルの先頭または末尾まで到達した場合には、末尾または先頭に循環して同様の処理が繰り返される。
【００４３】
ステップＳ３９では、メインマイコン１５は、カテゴリリストとしてのボタン５３ａ〜５３ｄの何れかが操作されたか否かを判定し、操作された場合（ステップＳ３９；Ｙｅｓ）にはステップＳ４０に進み、それ以外の場合（ステップＳ３９；Ｎｏ）にはステップＳ３６に戻って前述の場合と同様の処理を繰り返す。なお、ボタン５２ａ，５２ｂが操作されて新たな範囲のボタン（不図示）が表示された場合には、新たな範囲のいずれかのボタンの操作によりステップＳ４０に進む。
【００４４】
ステップＳ４０では、メインマイコン１５は、ステップＳ３９において操作されたボタンに対応するカテゴリを第２選択カテゴリとし、チャンネルの検索を行う第２選択カテゴリ検索処理を実行する。なお、この処理の詳細は、図９を参照して後述する。
【００４５】
ステップＳ４１では、メインマイコン１５は、ボタン５４が操作されたか否かを判定し、ボタン５４が操作された場合（ステップＳ４１；Ｙｅｓ）には図３の処理にリターンし、それ以外の場合（ステップＳ４１；Ｎｏ）にはステップＳ４０に戻って前述の場合と同様の処理を繰り返す。なお、ボタン５４が操作された場合ではなく、例えば、所定の時間（例えば、１５秒）以上、操作がなされなかった場合に図３の処理にリターンするようにしてもよい。ステップＳ４１においてＹｅｓと判定され、図３の処理にリターンした場合には、図４と同様のチャンネル切換モード画面がＬＣＤ１７に表示されるとともに、チャンネルサーチによって選択されたチャンネルの放送が受信されて再生され、また、選択されたチャンネルに関する情報がＬＣＤ１７に表示される。
【００４６】
以上の処理によれば、チャンネル切換モード画面において、ボタン４４を操作することによりカテゴリ検索モード画面に移行し、チャンネル切換モード画面において受信中の放送のプライマリカテゴリに対応するカテゴリを、プライマリカテゴリまたはセカンダリカテゴリに有するチャンネルを検索することが可能になる。このため、現在受信中の放送と同様のカテゴリの他の放送を迅速に検索することが可能になる。
【００４７】
つぎに、図９のフローチャートを参照して、図５に示すステップＳ４０の処理の詳細について説明する。図９のフローチャートの処理が開始されると、つぎのステップが実行される。すなわち、ステップＳ５０では、メインマイコン１５は、カテゴリリストにおいて選択されたカテゴリを第２選択カテゴリに設定する。より詳細には、例えば、図６の画面において、ボタン５３ｂが操作された場合、ステップＳ５０では、ボタン５３ｂに対応するカテゴリである「Ｐｏｐ」が、第２選択カテゴリに設定される。
【００４８】
ステップＳ５１では、メインマイコン１５は、第２選択カテゴリをＲＡＭ１５ｂに記憶する。いまの例では、ボタン５３ｂに対応するカテゴリである「Ｐｏｐ」がＲＡＭ１５ｂに第２選択カテゴリとして記憶される。
【００４９】
ステップＳ５２では、メインマイコン１５は、第２選択カテゴリをカテゴリ５１ｅとしてＬＣＤ１７に表示させる。いまの例では、「Ｐｏｐ」が第２選択カテゴリであるので、図１０に示すように「Ｐｏｐ」がカテゴリ５１ｅとしてＬＣＤ１７に表示される。また、図２に示すテーブルにおいて、プライマリカテゴリまたはセカンダリカテゴリが第２選択カテゴリである「Ｐｏｐ」を含み、かつ、最もチャンネル番号の値が小さい第１行目のチャンネル番号が「４」の放送がサテライトチューナ１２によって受信されるとともに、チャンネル番号が「４」の放送に関する情報が図１０に示すようにＬＣＤ１７に表示される。すなわち、図１０の表示例では、受信チャンネル番号５１ｃとして「ＣＨＡＮＮＥＬ：４」が表示され、受信チャンネル名５１ｄとして「ＮＡＭＥ：Ｔｈｅ‘４０ｓ」が表示され、カテゴリ５１ｅとして第２選択カテゴリである「ＣＡＴＥＧＯＲＹ：Ｐｏｐ」が表示される。
【００５０】
ステップＳ５３では、メインマイコン１５は、カテゴリリストとしてのボタン５３ａ〜５３ｄをソート（並べ換え）する。図１０の例では、第２選択カテゴリが最上部に位置するように表示内容のソートが行われている。すなわち、図１０の例では、図６の場合と比較してボタン５３ａの表示は第２選択カテゴリである「Ｐｏｐ」とされ、また、ボタン５３ｂの表示は「Ｈｉｔｓ」とされている。
【００５１】
ステップＳ５４では、メインマイコン１５は、第２選択カテゴリに対応するボタンをハイライト表示する。具体的には、いまの例では、「Ｐｏｐ」が第２選択カテゴリであるので、図１０に示すように「Ｐｏｐ」に対応するボタン５３ａがＬＣＤ１７上において、ハイライト表示される。なお、ハイライト表示ではなく、点滅表示その他の表示方法でもよいことは前述したとおりである。
【００５２】
ステップＳ５５では、メインマイコン１５は、ボタン５５，５６が操作されたか否かを判定し、操作された場合（ステップＳ５５；Ｙｅｓ）にはステップＳ５６に進み、それ以外の場合（ステップＳ５６；Ｎｏ）にはステップＳ５８に進む。例えば、ボタン５６が操作された場合には、ステップＳ５６に進む。
【００５３】
ステップＳ５６では、メインマイコン１５は、ＲＡＭ１５ｂに記憶されている第２選択カテゴリを、カテゴリ５１ｅとしてＬＣＤ１７に表示させる。この結果、ボタン５５，５６が操作されてカテゴリ検索が実行されている間は、第２選択カテゴリがカテゴリ５１ｅとして表示される。このため、ボタン５５，５６が操作されてカテゴリ検索が実行された場合であっても、カテゴリリストとしてのボタン５３ａ〜５３ｄが操作されない限り、ＬＣＤ１７には同一の第２選択カテゴリがカテゴリ５１ｅとして継続して表示される。これにより、検索条件のカテゴリをセカンダリカテゴリとして含むチャンネルが検索（表示）された場合でも、従来のように、当該チャンネルのプライマリカテゴリが表示され、次回のカテゴリ検索時の検索条件となってしまうことを防止できる。
【００５４】
ステップＳ５７では、メインマイコン１５は、第２選択カテゴリに基づいて、チャンネル検索処理を実行する。いまの例では、第２選択カテゴリとしては「Ｐｏｐ」が選択されているので、ボタン５５，５６の操作に応じて、プライマリカテゴリまたはセカンダリカテゴリに「Ｐｏｐ」を有するチャンネルが順次検索されて再生される。より具体的には、図１０に示す画面において、ボタン５６が操作された場合には、セカンダリカテゴリに「Ｐｏｐ」を有するチャンネル番号が「８」である放送が検索され、放送が受信されるとともに、図１１に示すように、チャンネル番号が「８」である放送に関する情報がＬＣＤ１７に表示される。図１１の例では、受信チャンネル番号５１ｃとして「ＣＨＡＮＮＥＬ：８」が表示され、受信チャンネル名５１ｄとして「ＮＡＭＥ：Ｔｈｅ‘８０ｓ」が表示され、カテゴリ５１ｅとして第２選択カテゴリである「ＣＡＴＥＧＯＲＹ：Ｐｏｐ」が表示されている。
【００５５】
ステップＳ５８では、メインマイコン１５は、カテゴリリストとしてのボタン５３ａ〜５３ｄの何れかが操作されたか否かを判定し、操作された場合（ステップＳ５８；Ｙｅｓ）にはステップＳ５０に戻って前述の場合と同様の処理を繰り返し、それ以外の場合（ステップＳ５８；Ｎｏ）には元の処理（図５の処理）にリターンする。なお、ボタン５２ａ，５２ｂが操作されて新たな範囲のボタン（不図示）が表示された場合には、新たな範囲のボタンの操作に応じてステップＳ５０に戻る。その結果、例えば、カテゴリ「Ｒｏｃｋ」に対応するボタン５３ｃが操作された場合には、ステップＳ５０に戻り、「Ｒｏｃｋ」が第２選択カテゴリに設定されてチャンネル検索処理が実行される。
【００５６】
以上の処理によれば、チャンネル切換モード画面において受信中の放送のプライマリカテゴリを第１選択カテゴリとし、第１選択カテゴリと同一のカテゴリを、プライマリカテゴリまたはセカンダリカテゴリに有する放送を検索するとともに、カテゴリリストとしてのボタン５３ａ〜５３ｄの何れかが操作された場合には、操作されたボタンに対応するカテゴリを、プライマリカテゴリまたはセカンダリカテゴリに有する放送を検索することができる。このため、例えば、チャンネル切換モード画面において受信中の放送のプライマリカテゴリと同一のカテゴリをプライマリカテゴリまたはセカンダリカテゴリに有する放送を検索するとともに、当該検索によって所望の放送が存在しなかった場合には、異なるカテゴリをボタン５３ａ〜５３ｄによって選択し、選択したカテゴリに基づいてチャネル検索を行うことが可能になる。
【００５７】
以上に説明したように、本発明の実施の形態によれば、チャンネル切換モード画面においては、カテゴリ４１ｅとして受信中のチャンネルのプライマリカテゴリを表示し、カテゴリ検索モード画面においては、カテゴリ５１ｅとして第１選択カテゴリまたは第２選択カテゴリを表示するようにした。このため、現在どのカテゴリによって検索がなされているかを明確に知ることが可能になる。また、指定されたカテゴリを第１選択カテゴリまたは第２選択カテゴリとして記憶し、記憶されているこれらのカテゴリに基づいて、チャンネル検索を行うようにしたので、検索対象となるカテゴリが変動することがないため、検索を迅速に行うことができる。
【００５８】
また、チャンネル切換モード画面において受信中であるチャンネルのプライマリカテゴリを第１選択カテゴリとし、カテゴリリストとしてのボタン５３ａ〜５３ｄの何れかが操作されるまで、当該第１選択カテゴリに基づいてチャンネル検索を実行するようにしたので、チャンネル切換モード画面において、受信中のチャンネルと同一のカテゴリの放送を迅速に検索することが可能になる。また、カテゴリ検索モード画面において、ボタン５３ａ〜５３ｄの何れかが操作された場合には、操作されたボタンに対応するカテゴリを第２選択カテゴリとし、この第２選択カテゴリに基づいて、チャンネル検索を実行するようにしたので、任意のカテゴリに基づくチャンネルの検索が可能になる。
【００５９】
また、カテゴリ情報に基づくチャンネルの検索を繰り返し実行する場合に、少ない操作回数による検索を可能とし、かつ、一つのカテゴリ情報しか持たないチャンネルにも対応可能でありながら、ユーザが望む検索条件を維持することが可能となる。このため、車輌を運転中であっても、少ない操作回数で、容易にカテゴリ検索を行うことが可能となる。
【００６０】
（Ｃ）変形実施の態様
なお、上述した各実施形態は、あくまでも本発明の一態様を示すものであり、本発明の範囲内で任意に変形および応用が可能であることは勿論である。
例えば、以上の各実施形態では、音声情報を受信して再生する構成としたが、音声以外の情報、例えば、映像情報、テキスト情報、その他の情報を受信する構成としてもよい。
【００６１】
また、以上の実施形態では、プライマリカテゴリを１種類とし、セカンダリカテゴリを３種類としたが、これ以外の数であってもよい。例えば、プライマリカテゴリを２種類以上とし、セカンダリカテゴリを２種類以下または４種類以上としてもよい。また、チャンネルサーチにおいては、これらの全てを参照とするのではなく、一部のみを参照して検索を行うようにしてもよい。例えば、３種類のセカンダリカテゴリの全てを参照するのではなく、例えば、最上位のセカンダリカテゴリまたは上位２つのセカンダリカテゴリのみを参照して検索するようにしてもよい。
【符号の説明】
【００６２】
１０  受信装置
１１  アンテナ
１２  サテライトチューナ
１３  ＤＳＰ
１４  ＤＶＤ駆動装置
１５  メインマイコン
１５ａ  ＲＯＭ
１５ｂ  ＲＡＭ
１６  サブマイコン
１７  ＬＣＤ
１８  タッチパネル
１９  増幅回路
２０  スピーカ
【図１】
0005496884.tif 000002
【図２】
0005496884.tif 000003
【図３】
0005496884.tif 000004
【図４】
0005496884.tif 000005
【図５】
0005496884.tif 000006
【図６】
0005496884.tif 000007
【図７】
0005496884.tif 000008
【図８】
0005496884.tif 000009
【図９】
0005496884.tif 000010
【図１０】
0005496884.tif 000011
【図１１】
0005496884.tif 000012